(57)【要約】【課題】  多層記録媒体に記録した後に編集を行なっても、光ピックの移動が少なくなるようにしリアルタイム再生を可能にできるようにする。【解決手段】  多層媒体記録再生装置及び記録再生方法では、多層の記録媒体を使い、その層間の光ヘッドの移動（層間ジャンプ）を使いながら、複数のコンテンツ（カメラ撮影の場合には複数のシーン）を記録した後に上記コンテンツの一部を消去、または一部の再生順番を変更するなどのいわゆる記録コンテンツの編集するような場合、その編集状態を見て、編集部分の一部または複数箇所の記録部分をディスク上の所定位置に再配置し、記録するような変更を行う。【選択図】  図１
2006216190.tif 000002
【特許請求の範囲】
【請求項１】
外部からの映像または音声情報を書き換え可能な光ディスクに記録するための映像または音声データに変換する情報変換手段と、前記光ディスク上に前記映像または音声データを記録する記録手段と，該光ディスク上の前記映像または音声データを再生する再生手段と、を有する記録再生装置において、
該光ディスクは少なくとも２層以上の記録層を持ち、前記映像または音声データを、該光ディスク上の２層以上にまたがり記録した後、それぞれの層に記録された前記映像または音声データの一部を消去したときに、消去せずに残した映像または音声データの一部を記録される層の数が減るように移動することを特徴とした記録再生装置。
【請求項２】
請求項1記載の記録再生装置において、前記消去せずに残した前記映像または音声データの一部を移動するとき、その移動は、データの消去した部分へ移動することを特徴とした記録再生装置。
【請求項３】
請求項1記載の記録再生装置において、前記消去せずに残した前記映像または音声データの一部を移動するとき、その移動は、データの消去があったどちらか一方の層へ移動することを特徴とした記録再生装置。
【請求項４】
外部からの映像または音声情報を書き換え可能な光ディスクに記録するための映像または音声データに変換する情報変換手段と、前記光ディスク上に前記映像または音声データを記録する記録手段と，該光ディスク上の前記映像または音声データを再生する再生手段と、を有する記録再生装置において、
該光ディスクは少なくとも２層以上の記録層を持ち、前記映像または音声データを、該光ディスク上の２層以上にまたがり記録した後、それぞれの層に記録された前記映像または音声データの一部を消去したときに、消去せずに残した映像または音声データの一部を、再生する場合に発生するそれぞれの層へ移動する際の層間ジャンプの発生数が少なくなるように移動することを特徴とした記録再生装置。
【請求項５】
外部からの映像または音声情報を書き換え可能な光ディスクに記録するための映像または音声データに変換する情報変換手段と、前記光ディスク上に前記映像または音声データを記録する記録手段と，該光ディスク上の前記映像または音声データを再生する再生手段と、を有する記録再生装置において、
該光ディスクは少なくとも２層以上の記録層を持ち、前記映像または音声データを、ある記録単位で該光ディスク上の２層以上にまたがり順次記録した後、その記録単位の中で、それぞれの層にある記録単位で記録された映像または音声データの一部を消去したときに、その記録単位の中で消去せずに残した前記映像または音声データの一部を、記録される層の数が減るように移動することを特徴とした記録再生装置。
【請求項６】
請求項５記載の記録再生装置において、前記消去せずに残した前記映像または音声データの一部を前記消去した部分へ移動するとき、その移動は、前記消去せずに残された２層にまたがり記録された映像または音声データを再生した場合に発生するそれぞれの層を移動する際の層間ジャンプの発生数が少なくなるように移動することを特徴とした記録再生装置。
【請求項７】
請求項５記載の記録再生装置において、前記消去せずに残した前記映像または音声データの一部を前記消去した部分へ移動するとき、その移動は、消去した層のどちらか一方の層へ移動することを特徴とした記録再生装置。
【請求項８】
外部からの映像または音声情報を書き換え可能な光ディスクに記録するための映像または音声データに変換する情報変換手段と、前記光ディスク上に前記映像または音声データを記録する記録手段と，該光ディスク上の前記映像または音声データを再生する再生手段と、を有する記録再生装置において、
該光ディスクは少なくとも２層以上の記録層を持ち、前記映像または音声データを、ある記録単位で該光ディスク上の２層以上にまたがり順次記録した後、その記録単位の中で、それぞれの層に記録された映像または音声データの一部を消去したときに、その記録単位の中で消去せずに残した前記映像または音声データの一部を、その記録単位の部分とは別のディスク上の記録単位の部分へ移動することを特徴とした記録再生装置。
【請求項９】
請求項８記載の記録再生装置において、前記消去せずに残した前記映像または音声データの一部を前記消去した部分へ移動するとき、その移動は、前記消去せずに残された２層にまたがり記録された映像または音声データを再生した場合に発生するそれぞれの層を移動する際の層間ジャンプの発生数が少なくなるように移動することを特徴とした記録再生装置
【請求項１０】
請求項８記載の記録再生装置において、前記消去せずに残した前記映像または音声データの一部を前記消去した部分へ移動するとき、その移動は、消去した層のどちらか一方の層へ移動することを特徴とした記録再生装置。
【請求項１１】
外部からの映像または音声情報を書き換え可能な光ディスクに記録するための映像または音声データに変換する情報変換手段と、前記光ディスク上に前記映像または音声データを記録する記録手段と、を有する記録装置において、
該光ディスクは少なくとも２層以上の記録層を持ち、前記映像または音声データを、該光ディスク上の２層以上にまたがり記録した後、それぞれの層に記録された前記映像または音声データの一部を消去したときに、消去せずに残した映像または音声データの一部を記録される層の数が減るように移動することを特徴とした記録装置。
【請求項１２】
外部からの映像または音声情報を書き換え可能な光ディスクに記録するための映像または音声データに情報変換手段により変換し、前記光ディスク上に前記映像または音声データを記録手段により記録し、前記光ディスク上の前記映像または音声データを再生手段により再生し、
前記光ディスクは少なくとも２層以上の記録層を持ち、前記映像または音声データを、前記光ディスク上の２層以上にまたがり記録した後、それぞれの層に記録された前記映像または音声データの一部を消去したときに、消去せずに残した映像または音声データの一部を記録される層の数が減るように移動することを特徴とした記録再生方法。
【発明の詳細な説明】
【技術分野】
【０００１】
本発明は、多層の光ディスク等に記録する記録再生装置、記録装置、記録再生方法に関するものである。
【背景技術】
【０００２】
従来技術で、例えばＨＤＤレコーダ等において、複数のチャンネルの映像または音声データを、同時にＨＤＤに記録する方法に関するもの、または、例えばデジタルカメラ等において、静止画情報を、2つの圧縮方式で記録する方法に関するものがある。この例としては，特許文献１、および特許文献２がある。しかし、これらは多層の光ディスク上への記録に対する技術ではない。
【特許文献１】特開２００２−３４４８９２号公報
【特許文献２】特開２００１−２４９２９号公報
【発明の開示】
【発明が解決しようとする課題】
【０００３】
近年、映像及び音声情報の世界における映像及び音声のデジタル化、及び、映像及び音声データの圧縮技術の向上により、ＶＴＲをはじめとするテープ記録から、ＤＶＤ、ハードディスクドライブ（ＨＤＤ）等のディスク記録への移行が、急速に行われつつある。その代表的なものとして、ハードディスクドライブ（以下ＨＤＤと称する）とＤＶＤドライブとが混在するＨＤＤ＆ＤＶＤハイブリッドレコーダである。また、家庭用のビデオカメラの分野にもデジタル化が浸透され、同じくテープからＤＶＤをはじめとしたディスク記録へシフトしている。ＤＶＤディスクはディスク1枚当たり、約４．７ＧＢ程度の容量になる。ＤＶＤディスクには、例えば、映画等の映像用の光ディスクであるディジタルビデオディスク（以下ＤＶＤ−Ｖｉｄｅｏと略す）、またはコンピューター用途としてアプリケーションソフト、ゲームソフト、各種データ記録用に応用したＤＶＤ−ＲＯＭがその代表的なものである。または個人情報のバックアップ記録、ＶＴＲの置き換えのＤＶＤレコーダ用、ＤＶＤカメラ用として、ＤＶＤ−ＲＡＭ、ＤＶＤ±ＲＷ、ＤＶＤ±Ｒ等の光ディスクを使った書き換え可能な光記録媒体がある。
【０００４】
一方、地上波デジタル放送を含め、ハイビジョン放送をはじめとした高品位の映像または音声のコンテンツが配信されつつあり、高画質または高音質の情報を記録する要求が高まっている。しかしながら、高画質または高音質の情報は、それだけ情報量が多く、従来のＭＰＥＧ２技術では例えばＳＤ品質の音声付画像データは、最大１０Ｍｂｐｓの可変レートで記録したとしても、平均レートを約５Ｍｂｐｓ程度で記録すれば、２時間番組でも最大約4.7ＧＢの情報量になるため、１２ｃｍのＤＶＤディスク1枚に記録することが可能になる。しかしながら、地上波デジタル放送のＨＤ場合、従来のＭＰＥＧ２では圧縮率を大きく稼いだとしても、画質とのバランスから、平均１５Ｍｂｐｓを下回ることは出来ない。従って、ＤＶＤディスク1枚に記録することは出来ない。近い将来、例えば、Ｂｌｕ−ｒａｙディスクが一般化され、1枚あたり２５ＧＢ以上の容量を持つ光ディスク媒体があったとしても、例えば、２５Ｍｂｐｓの高画質モードでは２時間半以上の映像コンテンツを、1枚のディスクに記録することは出来ない。そこで、光ディスク１枚にこれらコンテンツを記録するために、光ディスクは、ＤＶＤ、Ｂｌｕ−ｒａｙディスク共に今後の方向としては、多層化の方向にあり、容量が更に増大していく。
上記とは別に、最近圧縮技術の進歩により、例えば、ＭＰＥＧ４のＨ．２６４方式では、従来のＭＰＥＧ２で、ＨＤ品質が２５Ｍｂｐｓ必要なところを、例えば、８Ｍｂｐｓでも十分なＨＤ品質が得られる。それと同時にＳＤ品質が、２．５Ｍｂｐｓ程度でもかなり品質の良いものになってきている。また、地上波デジタル放送が一般的になってきた場合、数チャンネルの放送を同時に記録することも考えられ、これら複数のコンテンツを一つのディスクに記録するケースも考えられる。こうなると、記録された複数のコンテンツをそれぞれユーザが独自に編集するケースも考えられる。または、家庭用ビデオカメラの場合、高圧縮技術と、ディスクの多層化が行われると、一枚あたりの記録時間が多くなると同時に、一つのディスクに非常に多くのシーンが記録されることになり、自分が記録した映像を後から編集する作業は一般的に行われるようになる。
【０００５】
上述のように、地上波デジタル放送を含め、ハイビジョン放送をはじめとした高品位の映像または音声のコンテンツが配信されつつあり、高画質または高音質の情報を記録する要求と共に、多チャンネルのコンテンツを同時に記録する要求が高まっている。また、記録するディスクも１枚あたりの記録容量を稼ぐ為に多層記録媒体が一般的になる。さらに、多チャンネル記録が一般的になっていくと、ユーザは、そのコンテンツをユーザ自信が編集するケースも考えられる。また、例えばカメラ用途では、ユーザが撮影したコンテンツを、ユーザ自信が編集する事になる。
しかしながら、多チャンネルの記録を多層記録媒体に行った後に編集を行った場合、ディスク上のいろいろな場所及び、色々な層に層間ジャンプを行いながら光ピックが移動し、編集作業を行うことになるため、元々質量が大きく、その分移動に時間の掛かる光ピックで、多層記録媒体で編集作業を行うには、容易ではない。特に、ユーザがコンテンツを編集するとき、その編集方法によっては、光ピック移動に時間が掛かり、編集後のリアルタイム再生が出来なくなるケースも考えられる。カメラ用途では、編集は頻繁に行われる為、上記問題は致命的であった。
【０００６】
本発明の目的は、多層の記録媒体に記録したコンテンツを編集したときに、リアルタイムで再生することを可能にした多層媒体記録再生装置及び記録再生方式を提供することである。
【課題を解決するための手段】
【０００７】
前記目的を解決するため、本発明の多層媒体記録再生装置及び記録再生方法では、多層の記録媒体を使い、その層間の光ヘッドの移動（層間ジャンプ）を使いながら、複数のコンテンツ（カメラ撮影の場合には複数のシーン）を記録した後に上記コンテンツの一部を消去、または一部の再生順番を変更するなどのいわゆる記録コンテンツの編集するような場合、その編集状態を見て、編集部分の一部または複数箇所の記録部分をディスク上の所定位置に再配置し、記録するような変更を行うようにした。
【０００８】
前記目的は特許請求の範囲に記載の発明により達成される。
【発明の効果】
【０００９】
多層記録媒体に記録した後に編集を行なっても、光ピックの移動が少なくなるようにしリアルタイム再生することを可能にできる効果がある。
【発明を実施するための最良の形態】
【００１０】
以下、本発明の実施例を説明する。
【実施例１】
【００１１】
本発明の一実施例を、図１、２、３、４を用いて説明する。
図１は本発明の一実施例である多層媒体記録再生装置1(図中の破線内を示す)の概略構成である。
画像または音声情報変換手段２は、Ｖｉｄｅｏ  ＩＮ等の外部アナログ信号を、例えばＭＰＥＧ方式（ＭＰＥＧ２，ＭＰＥＧ４，Ｈ．２６４等の方式）で圧縮エンコード処理して画像または音声情報をデジタルデータに変換、またはデジタルデータをデコード処理してアナログ信号に変換等を行ない、Ｖｉｄｅｏ  ＯＵＴ等の外部アナログ端子よりモニター等へ出力する。家庭用ビデオカメラの場合には図示しないが、レンズ等の撮影手段から撮影素子であるＣＣＤからのアナログ信号を例えばＭＰＥＧ方式で圧縮エンコード処理して画像または音声情報をデジタルデータに変換、またはデジタルデータをデコード処理してアナログ信号に変換等を行ない、ＬＣＤ等のモニター等へ出力する。
画像または音声データ変換手段３は、デジタル変換された映像または音声データを、記録媒体例えば、ＨＤＤまたは光ディスク上に記録するデータに変換する手段であり、ディスク装置に応じたＥＣＣ付加、変復調等の処理を行う。地上波デジタルチューナーからの信号はすでにデジタル変換されているので、そのまま上記、画像または音声データ変換手段３に入力される。ＨＤＤに記録する場合には、前記映像または音声情報が、著作権等により記録制限された情報の場合、１０の暗号付加／解読手段で、それに応じた暗号処理を施し、ＨＤＤ記録再生手段１１を通し、磁気ヘッド１２を通し、ハードディスク１３に記録する。光ディスクへの記録の場合には、前記映像または音声情報が、著作権等により記録制限された情報の場合、５の暗号付加／解読手段で、それに応じた暗号処理を施し、光ディスクの記録再生手段６を通し、光ヘッド７を通し、光ディスク８に記録する。これら全体を制御するのは１４のコントローラである。
【００１２】
次に、光ヘッドが多層の光ディスクに記録する方法について、図２を用いて説明する。図２は、２層の記録層を持つ光ディスクの場合を記載しているが、層数に関しては２層以上ならば、多層光ディスクであり、同様のことが出来る。また、図２では、光ヘッド２７はディスクの下層２１側に有り、図の左側が内周側となる。図２の（１）で記載されているＲゾーンというのは、ディスク上へコンテンツまたはシーンを記録するための記録単位であり、そのＲゾーンを単位に、内周側から外周側のディスクの下層２１を記録した後、層間ジャンプした後に今度はディスクの上層２２を外周側から内周側に記録し、Ｒゾーンの記録が終了した場合には、新たなＲゾーンへ記録が移動し、同様に順次記録が進められる。図ではＲゾーンは内周側から順にＲゾーン０、Ｒゾーン１、・・・の順に外周側へ記録している。図２の（２）において、ユーザが編集を行い、あるＲゾーン（図ではＲゾーン１としている）における第１記録層の編集でカットする箇所Ａ２５と、あるＲゾーンにおける第２記録層の編集でカットする箇所Ｂ２６と、あるＲゾーンにおける第１記録層の編集で残す箇所Ａ２３と、あるＲゾーンにおける第２記録層の編集で残す箇所Ｂ２４部分とに分け、編集でカットする部分（図中の２５，２６の部分）は論理的に消去したとする。このディスクを再生する場合には、図２の(３)に示すように、Ｒゾーン０を再生した後に光ヘッドをシークと層間ジャンプを行いＲゾーン１における第１記録層の編集で残す箇所Ａ２３と、Ｒゾーン１における第２記録層の編集で残す箇所Ｂ２４を再生した後にシークと層間ジャンプを行い、Ｒゾーン２へ移動し再生を続ける事になる。このときの条件で、例えば、
規格で決められるディスクの最低の再生スピード：Ｒ１（Ｍｂｐｓ）
一回の層間ジャンプに掛かる時間：Ｊ１(秒)
必要層間ジャンプ数：Ｎ
ｉ番目のシーク時間：Ｓｉ(秒)
再生時に使われるバッファの容量：Ａ（Ｍｂｉｔ）
とした場合、
Ａ＞Ｒ１(Ｊ１×Ｎ＋ΣＳｉ)
上記条件を超える場合には、２層にまたがったデータを１層に記録しなおす。上記は、ある容量の再生バッファＡまで再生データがたまった時に、そのたまった再生データが吐き出されて再生バッファにデータがなくなる前に、ディスクから再生データを読み出す為の条件を示している。ここで、Σは、１回目のシークからあるｎ回目のシークまでのそれぞれのシーク時間Ｓ１、Ｓ２、・・・Ｓｎの総和を示す。また、Ｎはその間に発生した層間ジャンプ数であり、必ずしもｎ＝Ｎではない。また、Ｒ１は規格で決められた再生の最低スピードであるが、実際の装置ではこれより速いスピードで再生しても構わない。またＡは再生時に使われる装置のバッファメモリ容量であるが、この容量が大きければ、上記条件は殆どの場合クリアできるが、バッファ量が大きい場合には、それだけ装置のコストアップになる為、適度の容量にする必要がある。この為、編集の方法により、小さな記録単位で消去、分割など行った場合には、上記条件を満足できない場合が発生する。従って、上記条件をクリアできるように、分割された情報を再配置する必要が発生する。次に、その方法について記載する。
【００１３】
上記条件をクリアする為に、ディスク側で編集後に残された情報を移動させることを図で示したのが図３である。この図では、図３の（１）において、層間ジャンプを行いながら再生した場合に、上記の条件を満足しない場合には図３の（２）に示すように同一のＲゾーン内で論理的に消去された箇所に編集で残している箇所を移動する。論理的にとはいわゆる消去パワーで実データを消去しているのではなく論理的にデータを消していることを意味する。図３（２）では、Ｒゾーン１における第２記録層の編集で残す箇所Ｂ２４を同一記録層内で第１記録層の編集で残す箇所Ａ２３が入る分だけ移動を行い、その後Ａ２３を第２層側に移動して、上記条件内になるようにしている。図３では、第２記録層の編集で残す箇所Ｂ２４も、同一記録層内で移動しているが、これに限る事はなく、上記条件に満足する場合には移動する必要はない。
【００１４】
第２記録層の編集で残す箇所Ｂ２４が移動した後でも、第２記録層の編集で消去があった箇所でも、第１記録層の編集で残す箇所Ａ２３が入る分の容量が第２記録層に有ればよい。
【００１５】
このように、データの消去が有った場合、データ記録再生用の光ヘッドのシークやジャンプ回数が減るようにデータの移動を行い記録されているデータの層数が減るようにすることで、よりリアルタイム再生に適したものとなる。
【００１６】
また、データを移動しても記録に使用する層数が減らないようなときはデータの移動を行わない。
【実施例２】
【００１７】
図４は本発明の別の実施例で、この図では、図４の（１）において、層間ジャンプを行いながら再生した場合に、上記の条件を満足しない場合には図の（２）に示すように別のＲゾーンの未記録部分に編集で残すＲゾーン１の情報を移動する。図では、Ｒゾーン１における第１記録層の編集で残す箇所Ａ２３と、第２記録層の編集で残す箇所Ｂ２４の両方を移動しているが、これに限る事はなく、上記条件に満足する場合にはどちらか一方の移動のみでも構わない。
【図面の簡単な説明】
【００１８】
【図１】本発明の一実施例のシステムブロック図である。
【図２】一般的な多層多層記録媒体への記録方法を示す図である。
【図３】本発明の一実施例における多層記録媒体への記録方法を示す図である。
【図４】本発明の別の実施例における多層記録媒体への記録方法を示す図である。
【符号の説明】
【００１９】
１・・多層媒体記録再生装置、  ２・・映像または音声情報変換手段、
３・・映像または音声データ変換手段、  ４・・記憶手段、
５・・光ディスクの暗号付加／解読手段、  ６・・光ディスクの記録再生手段、
７・・光ヘッド、  ８・・光ディスク、  ９・・ハードディスク上のデータ消去手段、
１０・・ハードディスクの暗号付加／解読手段、  
１１・・ハードディスクの記録再生手段、
１２・・磁気ヘッド、  １３・・ハードディスク、  １４・・コントローラ、
２１・・多層光ディスクの第1記録層、  ２２・・多層光ディスクの第２記録層、
２３・・あるＲゾーンで第１記録層の編集で残す箇所Ａ、
２４・・あるＲゾーンで第２記録層の編集で残す箇所Ｂ
２５・・あるＲゾーンで第１記録層の編集で消去する箇所Ａ、
２６・・あるＲゾーンで第２記録層の編集で消去する箇所Ｂ、
２７・・光ヘッド。
【図１】
2006216190.tif 000003
【図２】
2006216190.tif 000004
【図３】
2006216190.tif 000005
【図４】
2006216190.tif 000006